(57)【要約】【課題】施工性及び防犯性に優れる、召し合わせ框に施錠手段を備える開口部装置を提供する。【解決手段】建物開口部の４辺に沿って設けられる枠体２と、枠体内に配置され、召し合わせ框を有する複数の障子１０、２０とを備え、複数の障子のうち少なくとも１枚の障子１０は枠体内を見付方向に移動可能とされ、該移動可能な障子の戸先框１５には、該障子の開放の姿勢で、他の障子２０の召し合わせ框２４に重なる側の面に移動可能な障子の開閉のために指を掛ける部位である手掛け部１７を有し、該手掛け部は、見付方向両端に他の召し合わせ框側に向けて立設される突起１７ａ、１７ｂが設けられ、移動可能な障子の開放の姿勢で、戸先框と他の障子の召し合わせ框との間隙Ｅが通常の人の指の厚さＧよりも大きく形成されるとともに、移動可能な障子の開放の姿勢で、手掛け部に設けられた突起のうちの戸先側に設けられた突起と、他の障子の召し合わせ框と、の見付方向距離Ｆも通常の人の指の厚さよりも大きく形成されることを特徴とする。【選択図】図３
2009007856.tif 000002
【特許請求の範囲】
【請求項１】
建物開口部の４辺に沿って設けられる枠体と、
前記枠体内に配置され、召し合わせ框を有する複数の障子と、を備え、
前記複数の障子のうち少なくとも１枚の障子は前記枠体内を見付方向に移動可能とされ、該移動可能な障子の戸先框には、該障子の開放の姿勢で、他の障子の召し合わせ框に重なる側の面に前記移動可能な障子の開閉のために指を掛ける部位である手掛け部を有し、該手掛け部は、見付方向両端に前記他の障子の召し合わせ框側に向けて立設される突起が設けられ、
前記移動可能な障子の開放の姿勢で、前記戸先框と前記他の障子の召し合わせ框との間隙が通常の人の指の厚さよりも大きく形成されるとともに、
前記移動可能な障子の開放の姿勢で、前記手掛け部に設けられた前記突起のうちの戸先側に設けられた突起と、前記他の障子の召し合わせ框と、の見付方向距離も通常の人の指の厚さよりも大きく形成されることを特徴とする開口部装置。
【請求項２】
前記手掛け部は、室内側又は室外側のいずれか一方の移動可能な障子の戸先框にのみ設けられることを特徴とする請求項１に記載の開口部装置。
【発明の詳細な説明】
【技術分野】
【０００１】
本発明は引き違い障子を備える開口部装置に関し、詳しくは操作者側からみて奥に配置される障子の戸先框が安全性及び操作性が向上された構造を有する開口部装置に関する。
【背景技術】
【０００２】
従来から、引違い窓や片引き窓、上げ下げ窓等のように、窓枠内側に配置された障子が見付方向にスライドして開閉される開口部装置がある。このような開口部装置においては、その性質上、障子の開閉をする操作者からみて室内外方向奥側に配置された障子をスライド式に開閉する場面がある。
【０００３】
かかる場合には障子を開放させたときに操作した障子の戸先框が他方の召し合わせ框の奥に配置されるため、戸先框を指に引っ掛ける等して開放させたときには戸先框と手前側の召し合わせ框との間に指を挟んでしまう場合があった。
【０００４】
また、この障子を全開し、戸先框が手前側の召し合わせ框の奥側に全て隠蔽させる位置にまで移動させてしまうとこの障子を閉鎖しようとするときに戸先框に指を引っ掛けるところが露出しておらず閉め難いという問題もあった。
【０００５】
以上のような問題を解決するために、従来技術の例として特許文献１の図１に表れているように、戸先框の操作者側に別途把手を取り付けて利便性を向上させるとともに、戸先框が他方の障子の召し合わせ框の奥側に隠蔽されてしまわないようにされているものがある。
【０００６】
また、文献による開示はないが、把手を設けずとも戸先框から直接突出させるように形成した手掛け部を設ける技術もあり、上記の例と同様の効果を奏するものである。
【特許文献１】特開２００６−２４１７４８号公報
【発明の開示】
【発明が解決しようとする課題】
【０００７】
しかしながら、特許文献１に記載のように別途把手を取り付ける場合には、部材が増えてコストが増加するとともに、これにより選択できる戸先框の種類も制限されることがあった。
【０００８】
また、上記した戸先框から直接突出させるように形成した手掛け部では、戸先框の全てが召し合わせ框の奥に隠蔽されることはないが、手掛け部と召し合わせ框との間に手を挟んだり、手掛け部と召し合わせ框とが密着し手が掛け難くなったりする場合もあった。
【０００９】
そこで本発明は、上記問題に鑑み、引戸式の開口部装置において指の挟まれを防止することができるとともに、操作性を向上させることが可能である開口部装置を提供することを課題とする。また、住宅等に使用されることを鑑み、意匠性も考慮される開口部装置を提供する。
【課題を解決するための手段】
【００１０】
以下、本発明について説明する。なお、本発明の理解を容易にするために添付図面の参照符号を括弧書きにて付記するが、それにより本発明が図示の形態に限定されるものではない。
【００１１】
請求項１に記載の発明は、建物開口部の４辺に沿って設けられる枠体（２）と、枠体内に配置され、召し合わせ框を有する複数の障子（１０、２０）とを備え、複数の障子のうち少なくとも１枚の障子（１０）は枠体内を見付方向に移動可能とされ、該移動可能な障子の戸先框（１５）には、該障子の開放の姿勢で、他の障子（２０）の召し合わせ框（２４）に重なる側の面に移動可能な障子の開閉のために指を掛ける部位である手掛け部（１７）を有し、該手掛け部は、見付方向両端に他の障子の召し合わせ框側に向けて立設される突起（１７ａ、１７ｂ）が設けられ、移動可能な障子の開放の姿勢で、戸先框と他の障子の召し合わせ框との間隙（Ｅ）が通常の人の指の厚さ（Ｇ）よりも大きく形成されるとともに、移動可能な障子の開放の姿勢で、手掛け部に設けられた突起のうちの戸先側に設けられた突起と、他の障子の召し合わせ框と、の見付方向距離（Ｆ）も通常の人の指の厚さよりも大きく形成されることを特徴とする開口部装置（１）を提供することにより前記課題を解決する。
【００１２】
ここで「通常の人の指の厚さ」とは、成人の指先における手の表裏方向（掌―甲方向）の通常の大きさをいう。そして、「移動可能な障子の開放の姿勢で、戸先框と他の障子の召し合わせ框との間隙（Ｅ）が通常の人の指の厚さ（Ｇ）よりも大きく形成される」とは、戸先框とこれに重なる他の障子の召し合わせ框との間隙に指が入り込んでもこれにより指先が挟まれて圧迫されない間隙が設けられることを意図するものである。また、「移動可能な障子の開放の姿勢で、手掛け部に設けられた突起のうちの戸先側に設けられた突起と、他の障子の召し合わせ框と、の見付方向距離（Ｆ）も通常の人の指の厚さ（Ｇ）よりも大きく形成される」とは、障子が開放されても、戸先框の戸先に存する突起と召し合わせ框との間に指が入るスペースが設けられ、使用者が適切に突起に指先を掛けることができること意図するものである。これら間隙、及び距離は７ｍｍ以上であることが好ましい。
【００１３】
請求項２に記載の発明は、請求項１に記載の開口部装置（１）における手掛け部（１７）は、室内側又は室外側のいずれか一方の障子（１０）の戸先框（１５）にのみ設けられることを特徴とする。
【発明の効果】
【００１４】
本発明によれば、戸先框の室内側に大きく延在して配置される把手を取り付ける必要がなく、部材数を抑制することができる。また、操作者とは反対側に配置される障子の戸先框を操作する場合であっても、該戸先框と召し合わせ框との間隙が確保されているので安全性を向上させることができる。また、当該障子を閉鎖させようとした場合であっても操作する戸先框に容易に指先を掛けることができるので利便性を向上させることが可能である。
【００１５】
本発明のこのような作用及び利得は、次に説明する発明を実施するための最良の形態から明らかにされる。
【発明を実施するための最良の形態】
【００１６】
以下本発明を図面に示す実施形態に基づき説明する。ただし本発明は当該実施形態に限定されるものではない。
【００１７】
図１は１つの実施形態に係る本発明の開口部装置１の室内視正面図である。図１（ａ）は内引き違い障子１０が閉鎖された姿勢、図１（ｂ）は内引き違い障子１０が途中まで開放された姿勢、及び図１（ｃ）は内引き違い障子１０が完全に開放された姿勢をそれぞれ示している。また、図２は開口部装置１の水平断面図（端面図）で、詳しくは図２（ａ）は図１（ａ）にＡで示した線、図２（ｂ）は図１（ｂ）にＢで示した線、図２（ｃ）は図１（ｃ）にＣで示した線に沿った水平断面図（端面図）である。図２の各図において紙面下が室内側、紙面上が室外側である。以下、図１、図２、及び適宜示す図を参照しつつ開口部装置１に備えられる各部材について説明する。
【００１８】
開口部装置１は、建物開口部の４辺の縁に沿って備えられる枠体２と、該枠体２の内側に配置される内引き違い障子（以下「内障子」と記載することがある。）１０と、同様に枠体２の内側に配置され、固定されている外引き違い障子（以下「外障子」と記載することがある。）２０と、施錠装置７と、ストッパー８とを備えている。
【００１９】
枠体２は、建物開口部の４辺に沿って設けられる長尺の型材である横枠３、４、及び縦枠５、６が枠状に組み合わされて形成されている。これら横枠３、４及び縦枠５、６は、通常の開口部装置に用いられる枠用部材を用いることができ、断面形状も特に限定されるものではない。
【００２０】
内障子１０は、ガラスにより形成された面材であるガラスパネル１１、横框１２、１３、内召し合わせ框１４、及び戸先框１５を有している。ここで、本実施形態のガラスパネル１１は図２に表れているように、複層ガラスであり２枚の平行に配置されたガラス面材が備えられている。横框１２、１３はガラスパネル１１の上下縁に沿って配置される長尺の型材である。内召し合わせ框１４は、ガラスパネル１１の縦縁の１つに沿って設けられ、召し合わせ部分となる縦框である。横框１２、１３、及び内召し合わせ框１４は通常の開口部装置に用いられる框を適用することができ、その断面形状も特に限定されるものではない。
【００２１】
戸先框１５は、ガラスパネル１１の縦縁のうち内召し合わせ框１４が備えられていない側の縦縁に沿って備えられ、戸先部分となる縦框である。図３中に戸先框１５の断面形状を示した。図３は、図２（ｃ）にＤで示した部分を拡大した図である。戸先框１５は、水平断面において略矩形である基体１６、及び該基体１６の室内側に連結片１８、１８を介して取り付けられる手掛け部１７を備えている。
ここで手掛け部１７は、紙面奥／手前方向を長手方向とし、見付方向を幅方向とした長尺の略板状の型材で、幅方向両端部には室内方向に延在する突起１７ａ、１７ｂが設けられている。手掛け部１７の幅方向長さ、及び他の部材との位置関係等は、後で詳しく説明する。
【００２２】
外障子２０は、ガラスにより形成された面材であるガラスパネル２１、及び外召し合わせ框２４、を有している。外障子２０は枠体２に固定される型の障子なので、外召し合わせ框２４以外に框は設けられておらず、枠体２に直接固定されている。ここで、本実施形態のガラスパネル２１は図２に表れているように、複層ガラスであり２枚の平行に配置されたガラス面材が備えられている。外召し合わせ框２４は、ガラスパネル２１の縦縁の１つに沿って設けられ、召し合わせ部分となる縦框である。当該外召し合わせ框２４は通常の開口部装置に用いられる框を適用することができ、その断面形状も特に限定されるものではない。
【００２３】
施錠装置７は、外障子２０の外召し合わせ框２４に取り付けられた不図示の被係合手段と、内障子１０の内召し合わせ框１４に配置された不図示の係合手段とを有している。そして、これらを互いに係合させることにより施錠状態、離脱させることにより開錠状態とすることができ、これにより施錠開錠がおこなわれる。施錠装置７は通常の開口部装置に用いられるものを適用することができる。
【００２４】
ストッパー８は、枠体２のうちの横枠４のうち内障子１０の移動の軌道上に設けられるストッパーとして備えられる部材である。これにより内障子１０はこれ以上の移動が禁止されるとともに、開放の姿勢で図３に示したような内障子１０の位置を得ることが可能となる。
【００２５】
以上のような構成を有する開口部装置１において、内障子１０と外障子２０とは引き違い障子として配置され、内障子１０は枠体２の内側を見付方向にスライドして移動させることができる。そして、開口部装置１の閉鎖の姿勢で、内外の召し合わせ框１４、２４が室内外方向に重なった位置となるとともに、戸先框１５は縦枠５に接触する。（図１（ａ）、図２（ａ））。このように、内外の召し合わせ框１４、２４が重なった時には、当該召し合わせ框部分でパッキン等により室内外で適切に水密気密がとられている。
【００２６】
一方、図１（ａ）、図２（ａ）の姿勢から内障子１０を図１（ｂ）、図２（ｂ）を経て開放の姿勢としたときには図１（ｃ）、図２（ｃ）のような配置となり、戸先框１５と外召し合わせ框２４とは図３に示したようになる。このとき、戸先框１５の手掛け部１７は外召し合わせ框２４との関係で、手掛け部表面１７ｃと外召し合わせ框２４の最も室内側の面２４ａとが図３にＥで示した距離、すなわち通常の大人の指の厚さよりも大きい距離を有する。また、戸先側である突起１７ａと、外召し合わせ框２４のガラスパネル２１とは反対側の端面と、が図３にＦで示した距離、すなわちこれも通常の大人の指の厚さよりも大きい距離を有する。これにより、内障子１０を室外側から開放させる時に内障子１０と外障子２０との間に指が挟まれて圧迫されることを防止できる。また内障子１０を室外側からの閉鎖する時には突起１７ａにゆびを掛けて容易に内障子１０の閉鎖の動作をさせることが可能となる。
【００２７】
さらに、手掛け部１７の幅方向（見付方向）の大きさは外召し合わせ框２４の見付方向大きさよりも大きく形成される。さらに手掛け部１７は、内障子１０の開放の姿勢（図３）で、外召し合わせ框２４を室内側正面視（図３紙面下方からの視点）で隠蔽されるように具備されている。従って、内障子１０の開放の姿勢で室内側からは外召し合わせ框２４は見えないので、すっきりとした外観を得ることができ、意匠性にも優れた開口部装置を提供することが可能である。
【００２８】
ここで本実施形態では内障子１０の移動の軌道上にストッパー８が設けられることにより該内障子１０が開放されたときに図１（ｃ）、図２（ｃ）、及び図３のような配置となるように形成したが、内障子１０が止められる手段はこれに限定されるものではない。これには例えば枠体に接触して止められることを挙げることができる。しかし、挟まりを防止する観点からは、ストッパーが設けられることが好ましい。
【００２９】
内障子１０の操作についてさらに詳しく説明する。図４、図５は内障子１０を室外側から操作した場面について説明するための図である。図４及び図５では人の指を模式的にＧで示した。
内障子１０を開放させるとき使用者は図４（ａ）に示すように室外側から突起１７ｂに指Ｇを引っ掛けて紙面左に操作する。さらに開放を進めると内障子１０は全開に達し、図４（ｂ）のように戸先框１５と外召し合わせ框２４とが室内外方向に重なるようになる。このような場合であっても本発明の開口部装置１では、図４（ｂ）のように、上記説明した構成により指Ｇが戸先框１５と外召し合わせ框２４との間にあっても挟まれて圧迫されることはない。
【００３０】
一方、内障子１０を室外側から閉鎖させるとき使用者は図５に示すように突起１７ａに指Ｇを引っ掛けて紙面右に操作する。本発明の開口部装置１では、上記説明したように突起１７ａに指Ｇを引っ掛けるための間隙を供えているので使用者は容易に内障子１０の閉鎖をすることができる。
【００３１】
本実施形態では、障子１０が見付方向に移動可能である開口部装置１としたが、これに限定されるものではない。例えば備えられる複数の障子が移動（開閉）可能とされていてもよい。
【００３２】
以上、現時点においてもっとも実践的であり、かつ好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う開口部装置もまた本発明の技術的範囲に包含されるものとして理解されなければならない。
【図面の簡単な説明】
【００３３】
【図１】１つの実施形態にかかる本発明の開口部装置の室内視正面図である。
【図２】開口部装置の水平断面図（端面図）である。
【図３】図２にＤで示した部分の拡大図である。
【図４】内障子を開放させるときを説明するための図である。
【図５】内障子を閉鎖させるときを説明するための図である。
【符号の説明】
【００３４】
１  開口部装置
２  枠体
３  横枠
４  横枠
５  縦枠
６  縦枠
７  施錠装置
８  ストッパー
１０  内障子
１１  ガラスパネル
１２  横框
１３  横框
１４  内召し合わせ框
１５  戸先框
１６  基体
１７  手掛け部
１７ａ  突起
１７ｂ  突起
２０  外障子
２４  外召し合わせ框
【図１】
2009007856.tif 000003
【図２】
2009007856.tif 000004
【図３】
2009007856.tif 000005
【図４】
2009007856.tif 000006
【図５】
2009007856.tif 000007